(57)【要約】【課題】傷病者のトリアージが行われるような災害発生時において、傷病者の搬送を効率的に行うことができる傷病者管理システム、傷病者管理システム用入力端末装置及び傷病者管理システム用プログラムを提供することを目的とする。【解決手段】傷病者管理システム１は、傷病者毎の傷病者情報を記憶する傷病者情報管理サーバ１０と、傷病者に関するトリアージ情報を入力する入力端末装置２０と、を有する傷病者管理システム１であって、入力端末装置２０では、傷病者を搬送するための搬送条件情報が入力できる構成となっている。従って、入力端末装置２０は、単なるトリアージ情報の入力だけでなく、搬送条件情報も入力することができ、この搬送条件情報も用いることで傷病者の搬送を効率的に行うことができるようになる。【選択図】図４
2018194942.tif 000002
【特許請求の範囲】
【請求項１】
傷病者毎の傷病者情報を記憶する傷病者情報管理サーバと、
傷病者に関するトリアージ情報を入力する入力端末装置と、
を有する傷病者管理システムであって、
前記入力端末装置では、傷病者を搬送するための搬送条件情報が入力できることを特徴とする傷病者管理システム。
【請求項２】
前記搬送条件情報は、前記傷病者の搬出可否情報であることを特徴とする請求項１に記載の傷病者管理システム。
【請求項３】
前記搬送条件情報は、前記傷病者の搬送制約情報であることを特徴とする請求項１又は２に記載の傷病者管理システム。
【請求項４】
表示部と入力部とを備え、
前記表示部にトリアージ入力項目が表示され、前記トリアージ入力項目に対して前記入力部を介して入力を行う傷病者管理システム用入力端末装置であって、
前記表示部に傷病者を搬送するための搬送条件入力項目が表示されることを特徴とする傷病者管理システム用入力端末装置。
【請求項５】
傷病者毎の傷病者情報を記憶する傷病者情報管理サーバに対して、傷病者に関するトリアージ情報を送信する傷病者管理システム用プログラムであって、
傷病者を搬送するための搬送条件入力項目を表示する処理と、
前記搬送条件入力項目に対する入力情報を前記傷病者情報管理サーバに対して送信する処理と、
を実行することを特徴とする傷病者管理システム用プログラム。
【発明の詳細な説明】
【技術分野】
【０００１】
本発明は、大規模な事故や大規模な災害の発生時、多数の傷病者の搬送を効率的に行うために使用される傷病者管理システム、傷病者管理システム用入力端末装置及び傷病者管理システム用プログラムに関する。
【背景技術】
【０００２】
過去の教訓を基に最近では大規模な事故や大規模な災害により多数の傷病者が発生すると、限られた医療資源の下で最大の効率を得られるよう、傷病者の重症度、緊急度などによって傷病者の順位付けを行う、所謂トリアージが行われている。現在、このトリアージを行う際には、トリアージタグと呼ばれる記入式のカードが広く使用されている。
【０００３】
しかしこのトリアージタグは、手書きで記入されることから、そこに記載された情報の収集や集計に多くの時間と労力を必要とすることになり、迅速性を要求される災害現場等においては、実際の使用や普及において問題点が多い。
【０００４】
そこで、トリアージに関する情報を一元的に管理できるようにするための傷病者管理システムが特許文献１、２に開示されている。特許文献１、２のシステムは、傷病者のトリアージに関する情報を一括管理するデータベースと、傷病者のトリアージに関する情報を入力する入力端末装置とで構成されている。
【０００５】
この入力端末装置にはトリアージを行うために広く知られているＳＴＡＲＴ法に基づく評価項目や、ＰＡＴ法に基づく評価項目がその画面上に表示され、その項目に沿ってトリアージ実行者が入力することで、入力されたトリアージに関する情報がデータベースに送られてデータベースに記憶される構成となっている。そして、データベースに蓄積された傷病者のトリアージに関する情報を基にして、傷病者の処置順位や搬送順位が決定される。
【先行技術文献】
【特許文献】
【０００６】
【特許文献１】特開２００８−２７９０３２号公報
【特許文献２】特開２０１３−０５０８９４号公報
【発明の概要】
【発明が解決しようとする課題】
【０００７】
ところで、特許文献１、２のように傷病者のトリアージに関する情報を一元管理することは、傷病者の処置順位や搬送順位を決定、指示する上で非常に重要ではあるが、実際の災害発生時、指示を行う指揮所や対策本部においては、傷病者のトリアージ情報だけでは効率的な傷病者の搬送が十分に行えない場合がある。
【０００８】
具体例として、指揮所や対策本部においては、データベースに蓄積された情報を基に、傷病者が多数救護されている救護所に、救急車、また場合によってはドクターヘリと呼ばれるような救急医療用ヘリコプター等、搬送車を向かわせる。そして、救護所からこの搬送車を使って病院等の医療機関へ搬送を行うことになる。通常、トリアージを行うような災害発生時においては、最初に傷病者が集められる救護所は一カ所ということはなく、複数の場所に点在して設けられることになる。とくに広域災害になれば多くの救護所が開設される。
【０００９】
このように複数存在する救護所の中には、まだ搬送できる状況にない傷病者が多数存在しているような救護所も当然ながら発生する。このような救護所に搬送車を向かわせて、準備が整うまで搬送車を待機させるよりも、搬出できる状況にある傷病者が多数存在している救護所に搬送車を向かわせた方が、搬送車を受け入れる救護所側、また搬送する搬送機関側にとって有益であり効率的である。
【００１０】
また、例えば、救急車を搬送車として用いる場合、病院の搬送車を用いる場合といったように全ての搬送車が同一性能、同一設備を備えているわけではなく、傷病者の状況等によっては搬送に向かない搬送車もある。例えば、日本人向けの搬送車では大柄な外国人の傷病者を搬送することが厳しい場合もある。また、傷病者によっては創外固定が行われている傷病者も存在し、そのような傷病者を搬出するには、例えば小型の搬送車では収容できなかったり、専用の機具が備わっていない搬送車では収容できなかったり、また救急医療用ヘリコプターでは乗せられなかったりする。
【００１１】
このように、限られる搬送手段を最大限有効に活用し、災害現場における傷病者の搬送を効率的に行うためには、単にトリアージ情報だけでは十分とは言えない。なお、二次トリアージで行われるＰＡＴ法において、第４段階として災害弱者への配慮が行われているが、この評価内容だけでは上記のような場合に全く対応できるものではなく、例えば、過去の災害発生時において、搬送車や救急医療用ヘリコプターでの搬送上の問題も現実に発生していたという話がある。
【００１２】
そこで、本発明は、上記の課題を解決するためになされたものであり、傷病者のトリアージが行われるような災害発生時において、傷病者の搬送を効率的に行うことができる傷病者管理システム、傷病者管理システム用入力端末装置及び傷病者管理システム用プログラムを提供することを目的とする。
【課題を解決するための手段】
【００１３】
上記課題を解決するため、本発明の傷病者管理システムは、傷病者毎の傷病者情報を記憶する傷病者情報管理サーバと、傷病者に関するトリアージ情報を入力する入力端末装置と、を有する傷病者管理システムであって、前記入力端末装置では、傷病者を搬送するための搬送条件情報が入力できることを特徴とする。
【００１４】
本発明の傷病者情報管理システムによれば、入力端末装置が、従来のような単なるトリアージ情報の入力だけでなく、傷病者の搬出可否情報や傷病者の搬送制約情報等の搬送条件情報も入力することができるため、傷病者管理システムにおいて、傷病者情報管理サーバの傷病者情報に搬送条件情報も含まれ、この搬送条件情報も用いることで傷病者の搬送をより一層効率的に行うことができる。
【００１５】
また、本発明の傷病者管理システムは、前記搬送条件情報が、前記傷病者の搬出可否情報であることを特徴とする。
本発明の傷病者管理システムによれば、搬送条件情報が、現場からの傷病者搬出の可否である搬出可否情報であるため、トリアージの完了後に現場で行われる傷病者の追加処置の完了待ちという搬送車の待機状態を回避することができ、複数ある救護所に対して効率的に搬送車を向かわせることができるようになる。
【００１６】
また、本発明の傷病者管理システムは、前記搬送条件情報が、前記傷病者の搬送制約情報であることを特徴とする。
本発明の傷病者管理システムによれば、搬送条件情報が、搬送時における傷病者の搬送の制約に関する搬送制約情報であるため、異なる機能や異なる大きさからなる様々な搬送車を使用して効率よく搬送手配を行う必要があるところ、搬送車の効率的な手配を行うことができるようになる。
【００１７】
また、本発明の傷病者管理システム用入力端末装置は、表示部と入力部とを備え、前記表示部にトリアージ入力項目が表示され、前記トリアージ入力項目に対して前記入力部を介して入力を行う傷病者管理システム用入力端末装置であって、前記表示部に傷病者を搬送するための搬送条件入力項目が表示されることを特徴とする。
【００１８】
本発明の傷病者管理システム用入力端末装置によれば、従来のように単なるトリアージ情報の入力だけでなく、傷病者の搬出可否情報や傷病者の搬送制約情報等の搬送条件情報も入力することができるようになるため、傷病者管理システムにおいて、この搬送条件情報も用いることで傷病者の搬送をより一層効率的に行うことができるようになる。
【００１９】
また、本発明の傷病者管理システム用プログラムは、傷病者毎の傷病者情報を記憶する傷病者情報管理サーバに対して、傷病者に関するトリアージ情報を送信する傷病者管理システム用プログラムであって、傷病者を搬送するための搬送条件入力項目を表示する処理と、前記搬送条件入力項目に対する入力情報を前記傷病者情報管理サーバに対して送信する処理と、を実行することを特徴とする。
【００２０】
本発明の傷病者管理システム用プログラムによれば、例えばこのプログラムをアプリケーションプログラムのような形で入力端末装置にインストールすることで、傷病者管理システムにおいて搬送条件情報も用いることができるようになり、その情報を用いて傷病者の搬送をより一層効率的に行うことができるようになる。
【図面の簡単な説明】
【００２１】
【図１】実施形態における傷病者管理システムの構成を示す概念図である。
【図２】実施形態における出力端末装置のハードウェア構成を示すブロック図である。
【図３】実施形態における入力端末装置の表示部に表示される画面遷移の概念図である。
【図４】実施形態における入力端末装置の表示部に表示される表示例である。
【発明を実施するための形態】
【００２２】
以下、本発明の具体例について図面を用いて詳細に説明する。但し、以下に示す実施形態は、本発明の技術的思想を具体化するための例示であって、本発明をこの実施形態に特定することを意図するものではなく、本発明は、特許請求の範囲に含まれるその他の実施形態にも等しく適応し得るものである。
【００２３】
まず、図１を参照して本実施形態の傷病者管理システム１の基本的な構成を説明する。図１は、傷病者管理システム１の構成を示す概念図である。図１に示すように、本実施形態の傷病者管理システム１は、傷病者情報管理サーバ１０と、入力端末装置２０と、がネットワークＮを介して通信可能に接続されて構成されている。
【００２４】
傷病者情報管理サーバ１０は、傷病者毎の傷病者情報を記憶するものであり、搬送拠点や病院等、災害発生時に指示拠点となるような場所に設置されたコンピュータ等からなる。この傷病者情報管理サーバ１０は、傷病者に関する傷病者情報が記憶される記憶部や、キーボード等からなる入力部、ディスプレイからなる表示出力部、プリンタ等からなら印刷出力部、を備えている。そして、傷病者情報管理サーバ１０の記憶部に記憶される傷病者情報は、入力端末装置２０を介して入力された情報や、傷病者情報管理サーバ１０が備える入力部を介して入力された情報により、その情報が更新、蓄積されていく。
【００２５】
また、この傷病者情報は、傷病者に関連する様々な情報が含まれることになり、後述するトリアージ情報や、傷病者を特定する情報である識別情報等の他に、災害発生場所の情報、傷病者の搬送先の情報等、災害発生時の傷病者の搬送において有用となる様々な情報を含めることができる。
【００２６】
また、更にこの傷病者情報には、入力端末装置２０を介して入力された搬送条件情報が含まれている。従って、傷病者情報管理サーバ１０が設置されている指揮所や対策本部においては、傷病者情報に含まれる傷病者のトリアージ情報や、傷病者の搬送条件情報を参考にして、傷病者が集められている救護所への搬送車の指示手配を行うことができる。
【００２７】
なお、上記のように搬送車の指示を行う指揮所や対策本部に、傷病者情報管理サーバ１０が設置されている必要はなく、傷病者情報管理サーバ１０に記憶されている傷病者情報にアクセスできる出力端末装置のようなものが指揮所等に配置されていても構わない。このような出力端末装置があれば、その情報を表示や印刷によって参照することができるためである。
【００２８】
入力端末装置２０は、災害発生時に発生現場にてトリアージを実施する実施者が所持する携帯可能な装置である。具体的には、本実施形態の傷病者管理システム１を利用するための専用のアプリケーションプログラムがインストールされたスマートフォンのような汎用機器でもよく、また例えば、ハンディターミナルと呼ばれるような業務用携帯端末のように傷病者管理システム１を利用するための専用機器からなるものでもよい。本実施形態においては、スマートフォンからなる入力端末装置２０を用いた例となっており、この入力端末装置２０を介して傷病者のトリアージ情報や傷病者の搬送条件情報が入力される。
【００２９】
図２は、入力端末装置２０のハードウェア構成を示すブロック図である。入力端末装置２０は、図２に示すように、制御部２１、記憶部２２、表示部２３、入力部２４、カメラ部２５、バーコード読込部２６、通信部２７を備えている。
【００３０】
制御部２１はＣＰＵ等の演算装置からなり、プログラムを実行し、各種の処理を実行する。記憶部２２は、ＲＡＭ、ＲＯＭ等の記憶装置からなり、制御部２１で実行されるプログラムを記憶したり、プログラムによる処理結果や、取得したトリアージ情報等の傷病者情報を記憶したりしておく。表示部２３は、ＬＣＤ等の表示装置からなり、傷病者のトリアージを行う際の評価項目や評価結果等を表示する。
【００３１】
入力部２４は、代表的なものとして表示部２３に一体的に設けられるタッチパネルのような入力装置であるが、その他にテンキー等ボタン式の入力装置等でも構わない。表示部２３に表示される内容に対するこの入力部２４からの入力に基づいて制御部２１にて、対象となる傷病者のトリアージの判定が行われる。
カメラ部２５は、様々な画像データを取得するものであり、例えば対象となる傷病者が負っている傷の画像を取得する。
【００３２】
バーコード読取部２６は、例えば、傷病者の特定のための識別情報がバーコード化されてトリアージタグに印刷されていたり、傷病者自身や傷病者の衣服等にバーコードが貼り付けられていたりするような場合に、このバーコードを読み取るバーコードリーダ装置である。このバーコード読取部２６は、光源と受光素子とが一体となった専用装置を用いて実現することもできるが、例えば、カメラ部２５を受光素子として用いて、スマートフォンからなる入力端末装置２０に赤外線光源部を取り付けてバーコード読取部２６を実現することもできる。このようにスマートフォンに光源部を取り付けてバーコードの情報を読み取るものとして、例えば株式会社アスタリスク社のＡｓＲｅａｄｅｒ（登録商標）が知られている。また、単にカメラ部２５から取得するバーコードの画像から情報を読み取ることも可能であり、バーコード読取部２６をカメラ部２５で実現することもできる。
【００３３】
通信部２７は、インターネットやＬＡＮ等を介して携帯端末等の他の機器と通信を行うものである。そして、入力端末装置２０は、この通信部２７を介して、ネットワークＮを介して、傷病者情報管理サーバ１０と接続し種々のデータの受け渡しを行うことになる。
【００３４】
このように、本実施形態の傷病者管理システム１は、傷病者毎の傷病者情報を記憶する傷病者情報管理サーバ１０と、傷病者に関するトリアージ情報を入力する入力端末装置２０と、で構成されており、そして更にこの入力端末装置２０では、傷病者を搬送するための搬送条件情報が入力できる構成となっている。このような本実施形態の傷病者管理システム１の具体的な活用例について、図１を用いて説明する。
【００３５】
救護所となっている現場Ｌ１には、入力端末装置２０Ａが配置されており、複数の傷病者Ｐ１〜Ｐ３に対して、入力端末装置２０Ａを介してトリアージ情報の入力が行われ、この情報が傷病者情報管理サーバ１０に蓄積されている。
【００３６】
現場Ｌ２には、入力端末装置２０Ｂが配置されており、複数の傷病者Ｐ４〜Ｐ６に対して、入力端末装置２０Ｂを介してトリアージ情報の入力が行われ、この情報が傷病者情報管理サーバ１０に蓄積されている。
【００３７】
また、傷病者を搬送するために用いる二台の搬送車Ｃ１、Ｃ２がある。搬送車Ｃ１は、比較的小型の搬送車であり、あまり大柄な傷病者の搬送は困難であり、また創外固定の傷病者を搬送できるような設備もなく、また座った状態（椅座位）での搬送しか行えない搬送車である。
【００３８】
一方、搬送車Ｃ２は、大型で設備の整った搬送車となっており、大柄な傷病者や、創外固定の傷病者や、椅座位での搬送が行えない傷病者でも搬送可能な搬送車である。
【００３９】
なお、搬送車Ｃ１、Ｃ２にも入力端末装置２０Ｃ、２０Ｄが備わっているよう図示しているが、これは入力端末装置２０を介して、各現場において傷病者を確認したり、傷病者のトリアージ情報を参照したり、また場合によっては傷病者のトリアージを再度行ったりするためである。従って、傷病者管理システム１において、必ずしも搬送車Ｃ１、Ｃ２に入力端末装置２０が備わっている必要はないが、搬送車の救命隊員等が入力端末装置２０を所持していることが好ましい。
【００４０】
また、搬送車Ｃ１、Ｃ２は、無線や入力端末装置２０等を介して、指揮所や対策本部等と通信可能となっており、そこからの指示に従って傷病者の搬送のため各現場へ向かうことになる。
【００４１】
ところで、現場Ｌ１における傷病者Ｐ１は、一般の人の体型に比べるとかなり大柄な傷病者である。また、傷病者Ｐ２は、いわゆる創外固定が行われている傷病者である。傷病者Ｐ３は、座った状態での搬送を行うことができない（椅座位不可）傷病者である。このように現場Ｌ１は、搬送を行う上で非常に様々な条件の傷病者が存在している。
【００４２】
このような現場Ｌ１に対して、二台の搬送車Ｃ１、Ｃ２の内、何れか一台を向かわせるよう指示する場合に、搬送車Ｃ１を向かわせたのでは傷病者Ｐ１〜Ｐ３の搬送が行えず、搬送車Ｃ１の使用が全くの無駄になってしまう。従って、現場Ｌ１には搬送車Ｃ２を向かわせるよう指示を行うことが望ましいことになる。
【００４３】
このように傷病者の体型、傷病者の創外固定の有無、傷病者の椅座位搬送の不可のような搬送制約情報を知ることができれば、搬送車の手配をより一層効率的に行うことができる。
【００４４】
一方、現場Ｌ２における傷病者Ｐ４〜Ｐ６は、搬送車がきても直ぐに搬出できる状況にない傷病者である。このような傷病者の一例としては、トリアージが完了しても搬出の前にパッケージングと言われるような追加処置を行う必要のある傷病者である。従って、このような現場Ｌ２は、現時点で搬送車が到着しても、追加処置が完了しなければ傷病者の搬出を行うことができない状況となっている。
【００４５】
このような現場Ｌ２に対して、搬送車Ｃ１、Ｃ２を向かわせたとしても、現場Ｌ２において傷病者Ｐ４〜Ｐ６の搬出が可能な状況になるまで待機することになってしまう。従って、現場Ｌ２には搬送車を至急向かわせるような指示をするよりも、現場Ｌ２以外で傷病者の搬出準備が整っている他の現場へ向かわせるよう指示することが望ましい。
このように傷病者の搬出可否情報を知ることができれば、搬送車の手配をより一層効率的に行うことができる。
【００４６】
以上のような災害発生時の傷病者の搬送の実情において、本実施形態の入力端末装置２０は、特許文献１、２のようにトリアージ情報の入力だけを行う端末装置ではなく、上記の搬送制約情報や搬出可否情報のような搬送条件情報の入力も行うことができる構成となっている。従って、傷病者管理システム１においては、傷病者情報管理サーバ１０に、各傷病者の傷病者情報に搬送条件情報も含まれるため、この搬送条件情報も用いることで傷病者の搬送をより一層効率的に行うことができる。
【００４７】
この搬送条件情報の入力を行うことができる入力端末装置２０について、より具体的に説明する。図３は、入力端末装置２０の表示部２３に表示される画面遷移の概念図である。また、図４は入力端末装置２０の表示部２３に表示される搬送条件情報入力画面の表示例である。
【００４８】
入力端末装置２０は、本装置を所持するトリアージ実施者によって起動されることにより動作が開始される。そして、最初に傷病者を特定し、その傷病者の履歴が傷病者管理サーバ１０にあるか否かの判断が行われる。具体的には、例えば、傷病者を特定する識別情報がトリアージタグに数字コードとして記載されている場合には、入力部２４を介してその数字コードを入力することで、傷病者管理サーバ１０に登録されている傷病者を特定することができる。また、例えば傷病者を特定する識別情報がバーコード化されてトリアージタグに記載されている場合には、バーコード読取部２６を介してそのバーコードを読み込むことで傷病者を特定することができる。
【００４９】
そして、傷病者が特定され、傷病者管理サーバ１０に傷病者の履歴がある場合には（Ｓ１でＹＥＳ）、最新履歴画面Ｇ１が表示部２３に表示される。この最新履歴画面Ｇ１は、最後に入力されたトリアージ情報等が表示される画面である。
【００５０】
なお、トリアージ評価は、一度だけ実施すればよいというものではなく、何度も行うことを想定し、推奨している。したがって、トリアージ実施者は、災害現場等において、表示部２３に表示されるこの最新履歴画面Ｇ１や、傷病者の現状等を参考にしながら、トリアージ評価の再実施を判断することになる。
【００５１】
傷病者が特定され、傷病者管理サーバ１０に傷病者の履歴がない場合には（Ｓ１でＮＯ）、ＳＴＡＲ法入力画面Ｇ２が表示部２３に表示される。傷病者の履歴ないということになると、傷病者のトリアージがまだ実施されていないということになるので、ＳＴＡＲＴ法入力画面Ｇ２が表示され、トリアージ実施者が入力部２４を介して入力できるようになる。この入力内容は、ネットワークＮを介して傷病者管理サーバ１０へと送られて、記憶されることになる。
【００５２】
なお、一般的に最初に行われるトリアージ評価は、一次評価ということで迅速性が要求さることからＳＴＡＲＴ法で行わる。したがって、本実施形態においても傷病者の履歴がない場合、まずＳＴＡＲＴ法入力画面Ｇ２が表示されることになっている。このＳＴＡＲＴ法入力画面Ｇ２は、呼吸、循環、意識に関する３つの生理学的評価からなるＳＴＡＲＴ法を迅速に行うことができるような画面で構成される。なお、端末装置を用いてトリアージ評価を行う既存の装置における表示画面を利用してもよい。
【００５３】
最新履歴画面Ｇ１や、傷病者の現状等から、ＰＡＴ法によるトリアージ評価を行うことになると、トリアージ実施者の操作によりＰＡＴ法入力画面Ｇ３が表示部２３に表示される。トリアージ評価におけるＰＡＴ法は、一般的に二次評価という位置付けとなっており、ＳＴＡＲＴ法の後で行われている。
【００５４】
通常、ＰＡＴ法は、一般的に第一段階で生理学的評価を行い、第二段階で解剖学的評価を行い、必要に応じて、第三段階で受傷機転の評価、第四段階で災害弱者の評価を行う。本実施形態においてもＰＡＴ法入力画面Ｇ３は、第一段階の生理学的評価を行うＰＡＴ法入力画面Ｇ３ａ、第二段階の解剖学的評価を行うＰＡＴ法入力画面Ｇ３ｂ、必要におじて行う第三段階の受傷機転、第四段階の災害弱者を行うＰＡＴ法入力画面Ｇ３ｃからなる三つの画面で構成されている。具体的な表示画面については、端末装置を用いてトリアージ評価を行う既存の装置における表示画面を利用してもよいが、ＰＡＴ法入力画面Ｇ３ｂにおいては、入力が容易に行えるよう、人体図を表示し発生頻度の多い骨折や出血等の症状項目をドラッグ・アンド・ドロップで人体図の発生個所に一致させると入力が完了するというような入力方法が好ましい。
【００５５】
以上のような表示画面を表示部２３に表示することは、従来の端末装置においてもみられたが、本実施形態の入力端末装置２０では、トリアージ実施者の操作によって搬送条件情報入力画面Ｇ４が表示部２３に表示される。
【００５６】
この搬送条件情報入力画面Ｇ４の具体例としては、図４に示すような画面構成となっている。画面の上部には、特定されている傷病者のＩＤとなる数字コードが表示される。
【００５７】
画面上の『搬送機関』の欄は、搬送機関情報であり、対応する搬送機関名が入力表示される。また、『搬送先』の欄は、搬送先情報であり、傷病者が搬送される医療機関名が入力表示される。入力された搬送機関情報や搬送先情報は、入力端末装置２０から傷病者情報管理サーバ１０において記憶されることになり、各端末間でこれらの情報も共有化されることになる。また、これらの情報は状況の変化に対応できるよう適宜変更できるようにもなっている
【００５８】
画面上の『車内収容』、『現地出発』、『病院到着』、『病院出発』、『帰着見込』の入力欄は、搬送時間情報の入力欄となっている。『車内収容』、『現地出発』、『病院到着』、『病院出発』の欄は、各タイミングでその位置を押すことによりその時間が表示入力され、帰着見込の欄は直接入力することで時間が表示入力される。
【００５９】
このような搬送時間情報も、入力端末装置２０から傷病者情報管理サーバ１０に記憶されることになるのでこれらの情報も共有化することができる。搬送時間情報は、図１における搬送車Ｃ１、Ｃ２に同乗する救命隊員等により主に入力され、搬送先の医療機関においては傷病者の受け入れ準備に利用でき、また指揮所や対策本部においてはこの搬送車の次の搬送手配に利用することできる。
【００６０】
画面上の『現在地』の入力欄は、傷病者の現在位置がわかるようにするための現在位置情報入力欄となっている。対応する位置をタッチすることで現在位置の入力が行われ、またその位置と他の位置とで表示の色を変えて表示されることになる。この現在位置情報により、各端末間で傷病者の位置を共有することができる。なお、現在位置情報は、入力端末装置２０が備えるＧＰＳ等から現在位置情報を自動的に取得するような構成でも構わない。
【００６１】
また、画面上の『搬送制約』の欄と『椅座位搬送』の欄は、搬送条件情報における搬送制約情報の入力欄となっている。搬送制約情報は、搬送時の搬送車の手配に注意が必要となることから入力が必要となる情報である。
【００６２】
この内『搬送制約』の欄は、具体的には傷病者が大柄かどうかを入力する項目と、傷病者が創外固定の状況にあるかどうかを入力する項目からなっている。これらの項目は、何れもその位置をタッチすることで入力されるととともに、入力されたことがわかるよう、表示色が変化するようになっている。
『椅座位搬送』の欄は、具体的には対応する傷病者が椅座位での搬送が行えるか否かを、可、不可の何れかで選択して入力できるようになっている。
【００６３】
災害発生時、異なる機能や異なる大きさの様々な搬送車を使用して、効率よく搬送手配をしなければならないことから、搬送制約情報は、搬送時の搬送車の効率的な手配において極めて重要な情報となる。なお、搬送制約情報は、上記の『搬送制約』、『椅座位搬送』以外の情報も当然ながら加えることができる。
【００６４】
また、画面上の『搬出』の欄は、搬送条件情報における搬出可否情報の入力欄となっている。搬出可否情報は、複数ある救護所に対して効率的に搬送車を向かわせるために必要となる情報である。
『搬出』の欄は、具体的には対応する傷病者が搬出できる状況になっているか否かを、可、不可の何れかで選択して入力できるようになっている。
【００６５】
搬出可否情報は、複数ある救護所に対して効率的に搬送車を向かわせる上で極めて重要な情報となる。これは現実的な問題として搬送車が現場に到着した場合に、トリアージが完了しているような傷病者については、搬送を行う救命隊員等は、即搬出しても大丈夫な傷病者だと思ってしまうことがある。
【００６６】
しかしながら、トリアージが完了している傷病者であっても、搬出を行う前に全脊椎固定、四肢骨折の副子固定、鎮痛剤の投与等、パッケージングと言われるような追加処置が行われることが多々ある。したがって、トリアージの完了＝即搬出、というわけではなく、傷病者によってはこの追加処置が完了しなければ搬出することができないために、結局追加処置が完了するのを待たなければならないという問題が生じる。したがって、このような問題を解決する上で、搬出可否情報の入力は極めて重要となる。
【００６７】
以上のように、入力端末装置２０の表示部２３では、画面遷移として最新履歴画面Ｇ１、ＳＴＡＲＴ法入力画面Ｇ２、ＰＡＴ法入力画面Ｇ３、搬送条件情報入力画面Ｇ４が表示され、それぞれ入力部２４を介しての入力が行われることになる。
【００６８】
なお、各画面は相互に移動可能となっている。例えば、各画面上には図４の搬送条件情報入力画面Ｇ４に示すボタンＢ１〜Ｂ７が表示されている。各ボタンをタッチすることで、対応する画面へ移動し、対応する画面のボタンの表示色が変わることで現在の表示画面を認識することができる。ボタンＢ１は、最新履歴画面Ｇ１に対応する。ボタンＢ２は、ＳＴＡＲＴ法入力画面Ｇ２に対応する。また、ボタンＢ３をタッチすると最初にＰＡＴ法入力画面Ｇ３ａが表示され、併せてボタンＢ４の表示色が変わる構成となっている。ボタンＢ５は、ＰＡＴ法入力画面Ｇ３ｂに対応する。ボタンＢ６は、ＰＡＴ法入力画面Ｇ３ｃに対応する。ボタンＢ７は、図４に示す搬送条件情報入力画面Ｇ４に対応する。
【００６９】
以上のように、本実施形態の傷病者管理システム１は、傷病者毎の傷病者情報を記憶する傷病者情報管理サーバ１０と、この傷病者情報管理サーバ１０とネットワークＮを介して接続するとともに傷病者に関するトリアージ情報を入力する入力端末装置２０と、を有する傷病者管理システム１であって、この入力端末装置２０では、傷病者を搬送するための搬送条件情報が入力できる構成となっている。
【００７０】
従って、入力端末装置２０は、従来のような単なるトリアージ情報の入力だけでなく、傷病者の搬出可否情報や傷病者の搬送制約情報等の搬送条件情報も入力することができる。このため、傷病者管理システム１においては、傷病者情報管理サーバ１０に、各傷病者の傷病者情報に搬送条件情報も含まれ、この搬送条件情報も用いることで傷病者の搬送をより一層効率的に行うことができる。
【００７１】
とくに搬送条件情報が、現場からの傷病者搬出の可否である搬出可否情報であることは、トリアージの完了後に現場で行われる追加処置の完了待ちという搬送車の待機状態を回避することができるため、複数ある救護所に対して効率的に搬送車を向かわせる上で極めて重要となる。
【００７２】
また、搬送条件情報が、搬送時における傷病者の搬送の制約に関する搬送制約情報であることは、異なる機能や異なる大きさの様々な搬送車を使用して、効率よく搬送手配をしなければならないことから、搬送時の搬送車の効率的な手配において極めて重要となる。なお、上記に記載する搬送車には、単なる車だけでなく、当然ながら救急医療用ヘリコプターのように傷病者搬送に用いられる全ての搬送手段が含まれている。
【００７３】
また、以上のような傷病者管理システム１に用いられる入力端末装置２０は、表示部２３と入力部２４とを備え、表示部２３にトリアージ入力項目が表示され、このトリアージ入力項目に対して入力部２４を介して入力を行うものであるとともに、表示部２３に傷病者を搬送するための搬送条件入力項目を表示する搬送条件情報入力画面Ｇ４が表示され、この搬送条件情報入力画面Ｇ４に対して入力部２４を介して入力を行うものとなっている。傷病者管理システム１を利用する上で、このような入力端末装置２０を用いることにより、上記のような優れた効果を実現することができる。
【００７４】
また、以上のような傷病者管理システム１に用いられるプログラムは、傷病者毎の傷病者情報を記憶する傷病者情報管理サーバ１０に対して、傷病者に関するトリアージ情報を送信する傷病者管理システム用プログラムであって、傷病者を搬送するための搬送条件入力項目を搬送条件情報入力画面Ｇ４のように表示する処理と、搬送条件入力項目に対する入力情報を傷病者情報管理サーバ１０に対して送信する処理と、を実行するものとなっている。このようなプログラムがアプリケーションプログラムのような形で、入力端末装置２０にインストールされることで、傷病者管理システム１を利用することができ、上記のような優れた効果を実現することができる。
【符号の説明】
【００７５】
１…傷病者管理システム
１０…傷病者情報管理サーバ
２０…入力端末装置
２１…制御部
２２…記憶部
２３…表示部
２４…入力部
２５…カメラ部
２６…バーコード読取部
２７…通信部
Ｃ１、Ｃ２…搬送車
Ｐ１〜Ｐ６…傷病者
Ｇ１…最新履歴画面
Ｇ２…ＳＴＡＲＴ法入力画面
Ｇ３…ＰＡＴ法入力画面
Ｇ４…搬送条件情報入力画面
【図１】
2018194942.tif 000003
【図２】
2018194942.tif 000004
【図３】
2018194942.tif 000005
【図４】
2018194942.tif 000006